(57)【要約】      （修正有）【課題】コンクリート床版の底面（ハンチ部）を水平切断する橋梁コンクリート床版切断技術を提供する。【解決手段】橋梁コンクリート床版切断装置は第１変換プーリ２４ａ、第３変換プーリ２４ｂ及び第４変換プーリ２４ｃを備えている。そして、該第１変換プーリ２４ａ、第３変換プーリ２４ｂ及び第４変換プーリ２４ｃは水平棒２４ｄに固定されている。コンクリート床版２７は主桁フランジ２８の上面に固定されている。該コンクリート床版２７には該主桁フランジ２８の上フランジ２８ａの左・右端からの左・右隣接位置に真円形でなる貫通孔２９、２９を垂直方向に穿孔している。この貫通孔２９、２９内に前記一方、他方の下端変換プーリ２５、２５を配置する。該一方、他方の下端変換プーリ２５、２５の配置方法としては前記駆動部材２３の前記ガイド枠２３Ｄの下端に固定した支持棒３０、３０で吊下げ固着した構成である。【選択図】図１
2009114688.tif 000002
【特許請求の範囲】
【請求項１】
駆動部材と、これに連係する変換部材と、主桁フランジの上面に鉄筋又はスタッドジベルで固設されたコンクリート床版の垂直方向に穿孔した該主桁を中心とした左・右貫通孔内に配置した前記変換部材に連係する一方、他方の下端変換プーリに懸架した無端ダイヤモンドワイヤーソーを備え、前記主桁フランジの上面のコンクリート床版に上フランジの略幅長の切断溝を形成して、該切断溝内に前記無端ダイヤモンドワイヤーソーを係入し、前記駆動部材の回転駆動源で該コンクリート床版のハンチ部を切断することを特徴とする橋梁床版切断方法。
【請求項２】
駆動部材と、これに連係する変換部材と、主桁フランジの上面に鉄筋又はスタッドジベルで固設されたコンクリート床版の垂直方向に穿孔した該主桁を中心とした左・右貫通孔内に配置した前記変換部材に連係する一方、他方の下端変換プーリに懸架した無端ダイヤモンドワイヤーソーを備え、前記主桁フランジの上面のコンクリート床版に上フランジの略幅長の切断溝を形成すると共に、該切断溝内に前記無端ダイヤモンドワイヤーソーを係入し、前記駆動部材の回転駆動源で該コンクリート床版のハンチ部及び該コンクリート床版の全域を撤去することを特徴とする橋梁床版切断方法。
【請求項３】
前記駆動部材は駆動プーリを含む駆動機械と、第２変換プーリと、該駆動機械及び第２変換プーリを固定した２個のアームでなる支持枠と、該支持枠をガイドして上昇・下降させるガイド枠と、該駆動機械及び第２変換プーリを該ガイド枠の下端部位から上端部位まで上昇・下降動作をさせるガイドレールとを備えたことを特徴とする請求項１又は２記載の橋梁床版切断方法。
【請求項４】
前記駆動部材は冷却気体源で流送管を経て冷却気体吹付け口を設置した駆動プーリを含む駆動機械と、第２変換プーリと、該駆動機械及び第２変換プーリを固定した２個のアームでなる支持枠と、該支持枠をガイドして上昇・下降させるガイド枠と、該駆動機械及び第２変換プーリを該ガイド枠の下端部位から上端部位まで圧縮空気によりエアシリンダを動作させて上昇・下降動作するガイドレールとを備えたことを特徴とする請求項１又は１記載の橋梁床版切断方法。
【発明の詳細な説明】
【技術分野】
【０００１】
本発明は、橋梁床版の所定部位に下端変換プーリが配置される貫通孔を穿孔し、該コンクリート床版の切断溝内にワイヤーソーを係入しコンクリート床版の底面を水平切断すべくした橋梁床版切断方法に関するものである。
【背景技術】
【０００２】
この種のコンクリート材等の被研削切断物の切断方法に於ける一つの例として図１０に示す特開平７−２７６２３１号公開特許公報に開示された技術がある。
これについて説明すれば、１はダイヤモンドワイヤーを示し、このダイヤモンドワイヤー１は、小さなダイヤモンドの一部をのぞかせて固着して研削切断刃としたダイヤモンドチップをワイヤーに一定間隔で複数通し、これら複数のダイヤモンドチップの両側にプラスチック材あるいはゴム材で作ってある止め具を通し、ワイヤーに各ダイヤモンドチップを固定してなるものである。そして、このダイヤモンドワイヤー１は、プーリ２、３を介して図示しない緊張駆動装置（ワイヤーソー）により作動させて、コンクリート材や石材等の被研削切断物４を研削切断するものである。この際、ダイヤモンドワイヤー１及びその研削切断部分が摩擦熱にて高温となるため、図示しない冷却装置にて冷却する。この冷却装置は、水道管に接続したボールタップ弁にて水道水を常時一定量に保持して貯留するタンクを有し、このタンクに高圧ポンプを接続し、更にこの高圧ポンプのデリバリ側にパイプを接続し、このパイプに多数のノズルをそれぞれ高圧ホースにより取り付けてなる。そして、このノズルはその数量を必要に応じて増減できるようになっており、被研削切断物４の大きさにもよるが、0.2 ｍ〜２ｍの範囲内で自由にノズル数を選択できるようになっている。更に、このノズルは、ダイヤモンドワイヤー１の走行方向に沿いかつ研削切断部分に対して２度〜45度の角度の範囲内で自由に設定できる構造をなしている。
【０００３】
従来の技術に於ける他の例としては、図１１に示す特開２００５−３２９５０６号公開特許公報に開示されたワーヤーソー切断方法の技術がある。これについて説明すれば、切断装置は、ワイヤーソー５および駆動装置６と、そして冷却装置７とを主たる構成として備え、これらにさらに集塵装置８および研削液供給装置９と備えて概ね構成されている。このうちワイヤーソー５は、鋼線等の多数の金属線を撚った可撓性を有するワイヤーの外周に、ダイヤモンド砥粒等を含んだ砥粒層を外周に有する環状のビーズ１０が、このワイヤーの長手方向に所定の間隔を空けて多数取り付けられたものであり、長手方向に隣接するビーズ１０間のワイヤー外周にはゴム等の被覆膜１１が被覆されている。また、駆動装置６は、横方向においてコンクリート壁１２の側縁部１３と孔１４との間の上記壁面１５にアンカー等によって固定される基台１６に、水平かつ上記壁面１５に対して垂直に正面側に延びるレール部材１７と、水平かつ壁面１５に近接して平行に延びる柱状の支持部材１８とが取り付けられ、この支持部材１８は平面視に長手方向略中央がレール部材１７の基端と直交するようにされて、レール部材１７には駆動プーリ１９が、また支持部材１８にはレール部材１７を挟んだその両側に一対の従動プーリ２０が、それぞれ取り付けられた構成とされている。これら駆動プーリ１９と一対の従動プーリ２０とは、いずれも上記孔１４と等しい高さの面一の水平面内でこの水平面に直交する回転軸線回りに回転可能とされたものであり、このうち駆動プーリ１９は、例えば図示されない作動油供給源に油圧ホース２１を介して接続される油圧モーター２２のような駆動手段に支持されてその上記回転軸線回りに図中に矢線で示す回転方向Ｔに回転駆動される一方、従動プーリ２０は、支持部材１８にその長手方向の位置を調節可能に取り付けられた軸受を介して従動的に回転自在に支持されている。また、駆動プーリ１９を支持する油圧モーター２２等の駆動手段は、上記レール部材１７に沿って壁面１５に垂直な方向に駆動プーリ１９ごと進退可能とされている。
【特許文献１】特開平７−２７６２３１号公開特許公報
【特許文献２】特開２００５−３２９５０６号公開特許公報
【発明の開示】
【発明が解決しようとする課題】
【０００４】
従来の技術は、叙上した構成であるので次の課題が存在した。
上述した一つの例としての特開平７−２７６２３１号公開特許公報に開示した従来の技術に於ける構成によれば、ダイヤモンドワイヤ１はプーリ２、３により垂直方向に上昇させて被研削切断物４を切断する技術であって、該被研削切断物４を水平方向に切断することはできないという問題点があった。
また、上述した他の例としての特開２００５−３２９５０６号公開特許公報に開示した従来の技術に於ける構成によれば、切断するコンクリート壁１２の側縁部Ｂの周囲に孔１４を周回するように穿孔し、この穿孔された孔１４にワイヤーソー５を挿入する装置及び方法であり、前記特開平７−２７６２３１号と同様にコンクリート壁１２を水平方向に切断することはできないという問題点があった。
【課題を解決するための手段】
【０００５】
本発明に係る橋梁床版切断方法は上述した課題を解決すべく無端ダイヤモンドワイヤーソーでコンクリート床版のハンチ部を切断する場合に於いて、橋梁コンクリート床版切断駆動装置の一方、他方の下端変換プーリをコンクリート床版の垂直方向に穿孔した左・右貫通孔に配置し該一方、他方の変換プーリによりコンクリート床版に形成した切断溝に係入した前記無端ダイヤモンドワイヤーソーを該コンクリート床版のハンチ部の水平方向に牽引することにより小型の駆動装置であってかつ切断時に発生する音を極力抑えてコンクリート床版のハンチ部を切断する技術を提供することを目的としたものであって、次の構成、手段から成立する。
【０００６】
すなわち、請求項１記載の発明によれば、駆動部材と、これに連係する変換部材と、主桁フランジの上面に鉄筋又はスタッドジベルで固設されたコンクリート床版の垂直方向に穿孔した該主桁を中心とした左・右貫通孔内に配置した前記変換部材に連係する一方、他方の下端変換プーリに懸架した無端ダイヤモンドワイヤーソーを備え、前記主桁フランジの上面のコンクリート床版に上フランジの略幅長の切断溝を形成して、該切断溝内に前記無端ダイヤモンドワイヤーソーを係入し、前記駆動部材の回転駆動源で該コンクリート床版のハンチ部を切断することを特徴とする。
【０００７】
請求項２記載の発明によれば、請求項１記載の発明に於いて、駆動部材と、これに連係する変換部材と、主桁フランジの上面に鉄筋又はスタッドジベルで固設されたコンクリート床版の垂直方向に穿孔した該主桁を中心とした左・右貫通孔内に配置した前記変換部材に連係する一方、他方の下端変換プーリに懸架した無端ダイヤモンドワイヤーソーを備え、前記主桁フランジの上面のコンクリート床版に上フランジの略幅長の切断溝を形成すると共に、該切断溝内に前記無端ダイヤモンドワイヤーソーを係入し、前記駆動部材の回転駆動源で該コンクリート床版のハンチ部及び該コンクリート床版の全域を撤去することを特徴とする。
【０００８】
請求項３記載の発明によれば、請求項１又は２記載の発明に於いて、前記駆動部材は駆動プーリを含む駆動機械と、第２変換プーリと、該駆動機械及び第２変換プーリを固定した２個のアームでなる支持枠と、該支持枠をガイドして上昇・下降させるガイド枠と、該駆動機械及び第２変換プーリを該ガイド枠の下端部位から上端部位まで上昇・下降動作をさせるガイドレールとを備えたことを特徴とする。
【０００９】
請求項４記載の発明によれば、請求項１又は２記載の発明に於いて、前記駆動部材は冷却気体源で流送管を経て冷却気体吹付け口を設置した駆動プーリを含む駆動機械と、第２変換プーリと、該駆動機械及び第２変換プーリを固定した２個のアームでなる支持枠と、該支持枠をガイドして上昇・下降させるガイド枠と、該駆動機械及び第２変換プーリを該ガイド枠の下端部位から上端部位まで圧縮空気によりエアシリンダを動作させて上昇・下降動作するガイドレールとを備えたことを特徴とする。
【発明の効果】
【００１０】
本発明に係る橋梁床版切断方法は、叙上の構成を有するので次の効果がある。
すなわち、請求項１記載の発明によれば、駆動部材と、これに連係する変換部材と、主桁フランジの上面に鉄筋又はスタッドジベルで固設されたコンクリート床版の垂直方向に穿孔した該主桁を中心とした左・右貫通孔内に配置した前記変換部材に連係する一方、他方の下端変換プーリに懸架した無端ダイヤモンドワイヤーソーを備え、前記主桁フランジの上面のコンクリート床版に上フランジの略幅長の切断溝を形成して、該切断溝内に前記無端ダイヤモンドワイヤーソーを係入し、前記駆動部材の回転駆動源で該コンクリート床版のハンチ部を切断することを特徴とする橋梁床版切断方法を提供する。
このような構成としたので、無端ダイヤモンドワイヤーソーでコンクリート床版のハンチ部を切断する場合に於いて、橋梁コンクリート床版切断駆動装置の一方、他方の下端変換プーリをコンクリート床版の垂直方向に穿孔した左・右貫通孔に配置し該一方、他方の変換プーリによりコンクリート床版に形成した切断溝に係入した前記無端ダイヤモンドワイヤーソーを該コンクリート床版のハンチ部を水平方向に牽引することにより小型の駆動装置であってかつ切断時に発生する音を極力抑えコンクリート床版を切断することができるという効果がある。
【００１１】
請求項２記載の発明によれば、駆動部材と、これに連係する変換部材と、主桁フランジの上面に鉄筋又はスタッドジベルで固設されたコンクリート床版の垂直方向に穿孔した該主桁を中心とした左・右貫通孔内に配置した前記変換部材に連係する一方、他方の下端変換プーリに懸架した無端ダイヤモンドワイヤーソーを備え、前記主桁フランジの上面のコンクリート床版に上フランジの略幅長の切断溝を形成すると共に、該切断溝内に前記無端ダイヤモンドワイヤーソーを係入し、前記駆動部材の回転駆動源で該コンクリート床版のハンチ部及び該コンクリート床版の全域を撤去することを特徴とする橋梁コンクリート床版切断方法を提供する。
このような構成としたので、請求項１記載の発明の効果に加えて、無端ダイヤモンドワイヤーソーでコンクリート床版のハンチ部を切断する場合に於いて、橋梁コンクリート床版切断駆動装置の一方、他方の下端変換プーリをコンクリート床版の垂直方向に穿孔した左・右貫通孔に配置し該一方、他方の変換プーリによりコンクリート床版に形成した切断溝に係入した前記無端ダイヤモンドワイヤーソーを該コンクリート床版のハンチ部及びコンクリート床版全域を撤去することができ、小型の駆動装置であってかつ切断時に発生する音を極力抑えコンクリート床版を切断することができるという効果がある。
【００１２】
請求項３記載の発明によれば、前記駆動部材は駆動プーリを含む駆動機械と、第２変換プーリと、該駆動機械及び第２変換プーリを固定した２個のアームでなる支持枠と、該支持枠をガイドして上昇・下降させるガイド枠と、該駆動機械及び第２変換プーリを該ガイド枠の下端部位から上端部位まで上昇・下降動作をさせるガイドレールとを備えたことを特徴とする請求項１又は２記載の橋梁床版切断方法を提供する。
このような構成としたので、請求項１又は２記載の発明の効果に加えて、コンクリート床版の切断に際し、駆動機構及び第２変換プーリのみを適正かつ合理的に上昇・下降させるので床版切断装置の小型化が図れるという効果がある。
【００１３】
請求項４記載の発明によれば、前記駆動部材は冷却気体源で流送管を経て冷却気体吹付け口を設置した駆動プーリを含む駆動機械と、第２変換プーリと、該駆動機械及び第２変換プーリを固定した２個のアームでなる支持枠と、該支持枠をガイドして上昇・下降させるガイド枠と、該駆動機械及び第２変換プーリを該ガイド枠の下端部位から上端部位まで圧縮空気によりエアシリンダを動作させて上昇・下降動作するガイドレールとを備えたことを特徴とする請求項１又は１記載の橋梁床版切断方法を提供する。
このような構成としたので、請求項１又は２記載の発明の効果に加えて、駆動機構を適宜冷却気体により冷却させることにより、水等の液体を使用することがないので、都市部でのコンクリート床版を撤去するときに漏水を考慮することなく、完全に無水での施工が可能となり、排水施設を設置することがないので費用を軽減できるという効果がある。
【発明を実施するための最良の形態】
【００１４】
以下、本発明に係る橋梁床版切断方法の実施の形態について添付図面に基づき詳細に説明する。
【００１５】
図１は、本発明に係る橋梁床版切断方法に使用するものであって、コンクリート床版上に取付けられた橋梁床版切断装置を示す正面図である。図２は、図１の矢視Ａ−Ａ線方向から見た側面図である。図３は、前記橋梁床版切断装置に備えた変換プーリの一例を示す図面であって、（ａ）は正面図、（ｂ）は（ａ）の矢視Ｂ−Ｂ線方向から見た側面図である。
【００１６】
先ず、本発明に係る橋梁床版切断装置について説明する。
Ｃは本発明に係る橋梁床版切断装置であって、駆動部材２３と、変換部材２４と、相対する一方、他方の下端変換プーリ２５、２５と、無端ダイヤモンドワイヤーソー２６とで構成される。前記駆動部材２３は駆動プーリ２３ａを含む駆動機械２３Ａと、第２変換プーリ２３Ｂと、該駆動プーリ２３ａを含む駆動機械２３Ａ及び該第２変換プーリ２３Ｂを固定しかつ２個のアームでなる支持枠２３Ｃと、該支持枠２３Ｃの上昇・下降動作をガイドする略矩形体でなるガイド枠２３Ｄと、該ガイド枠２３Ｄに固定され、かつ前記支持枠２３Ｃに連結された駆動プーリ２３ａを含む駆動機械２３Ａ及び第２変換プーリ２３Ｂを前記ガイド枠２３Ｄの下端部位から上端部位まで上昇・下降動作をさせるガイドレール２３Ｅとを備えている。
【００１７】
前記駆動機械２３Ａは背部に図２に示すように油圧モータや電動機等でなる回転駆動源２３ｂを有しており、この回転駆動源２３ｂが回転動作することにより該駆動プーリ２３ａが回転し、後述する無端ダイヤモンドワイヤーソー２６を牽引させながら所望のコンクリート床版２７を切断する。また、２３ｃはガイドレール２３Ｅの背部に設けた圧縮空気取入部であり、この圧縮空気取入部２３ｃから圧縮空気を流入させる。そして、該圧縮空気によりエアシリンダ２３ｄを動作させて前記支持枠２３Ｃを上昇・下降動作する。このとき、支持枠２３Ｃはガイド枠２３Ｄの内側に形成したスライド溝２３ｅにガイドされ、該ガイド枠２３Ｄの下端部位から上端部位まで移動する。
【００１８】
これにより、前記駆動プーリ２３ａ及び第１変換プーリ２４ａに無端ダイヤモンドワイヤーソー２６に連係した第２変換プーリ２３Ｂが該無端ダイヤモンドワイヤーソー２６を牽引しながら一緒に上昇する。２３ｆはガイドレール２３Ｅの背部に位置する冷却気体源であり、流送管２３ｇを経て冷却気体吹付け口２３ｈから冷却気体を駆動プーリ２３ａに噴出し、該駆動プーリ２３ａを冷却する。そして駆動プーリ２３ａを含む駆動機械２３Ａが司るコンクリート床版２７の切断機能が劣化することがないよう品質確保を行う。
【００１９】
前記変換部材２４は第１変換プーリ２４ａ、第３変換プーリ２４ｂ及び第４変換プーリ２４ｃを備えている。そして、該第１変換プーリ２４ａ、第３変換プーリ２４ｂ及び第４変換プーリ２４ｃは水平棒２４ｄに固定されている。２７はコンクリート床版であってＩ型鋼等でなる主桁フランジ２８の上面に固定されている。そして、該コンクリート床版２７には該主桁フランジ２８の上フランジ２８ａの左・右端からの左・右隣接位置に所定直径Ｓの径が約３００（ｍｍ）程度の例えば、真円形でなる貫通孔２９、２９を垂直方向に穿孔している。この貫通孔２９、２９内に前記一方、他方の下端変換プーリ２５、２５を配置する。該一方、他方の下端変換プーリ２５、２５の配置方法としては前記駆動部材２３の前記ガイド枠２３Ｄの下端に固定した支持棒３０、３０で吊下げ固着した構成である。
【００２０】
そして、前記無端ダイヤモンドワイヤーソー２６は、図１及び図５に示すように一方の下端変換プーリ２５、駆動プーリ２３ａ、第１変換プーリ２４ａ、第２変換プーリ２３Ｂ、第３変換プーリ２４ｂ、第４変換プーリ２４ｃ及び他方の下端変換プーリ２５を図１及び図５に示すように懸架している。ここで、切断されるコンクリート床版２７には図４で示すように主桁フランジ２８の上フランジ２８ａの上面部位であって、該コンクリート床版２７の底面部に前記無端ダイヤモンドワイヤーソー２６を設定・配置する。ここで、上フランジ２８ａの幅長が約４００（ｍｍ）程度であり、これを略同一幅長のコンクリート床版２７のハンチ部２７ｂを切断する。具体的には、図２及び図６（ａ）（ｂ）に示すようにコンクリート床版２７の幅員方向に貫通溝Ｂ１、Ｂ２・・・・を列設し、該コンクリート床版２７の橋軸方向に所定間隔Ｓ１毎に例えば幅が約２０（ｍｍ）程度の貫通溝Ａ１、Ａ２・・・・を前記貫通溝Ｂ１、Ｂ２・・・・に対して直交する方向に列設する。
【００２１】
前記一方、他方の下端変換プーリ２５、２５はその一例として図３（ａ）、（ｂ）に示す構成である。該一方又は他方の下端変換プーリ２５は滑車２５ａと該滑車２５ａの厚さ方向の中間位置に刻設した周溝２５ｇと、該滑車２５ａの中心を貫通して配備した所定長の軸２５ｂを備え、この軸２５ｂの左・右にブラケット２５ｃ、２５ｃの一方端をボルト２５ｅで固定し、また、該ブラケット２５ｃ、２５ｃの他方端をスペーサ２５ｄを介してボルト２５ｆ…で固定している。
【００２２】
該スペーサ２５ｄは回転自在の略円柱体でなる回転軸部２５ｈを備え、この回転軸部２５ｈは該無端ダイヤモンドワイヤーソー２６でコンクリート床版２７の底面部すなわちハンチ部２７ｂを切断するに従い回転自在に一方及び他方の滑車２５ａ、２５ａの向きを変える。この一方、他方の下端変換プーリ２５、２５の回転軸部２５ｈ、２５ｈが前記支持棒３０、３０に連結されている。そして、当該一方、他方の下端変換プーリ２５、２５が前記貫通孔２９、２９内に配置される。そして、滑車２５ａの周溝２５ｇ内に無端ダイヤモンドワイヤーソー２６を懸架する。ここで、この一方、他方の下端変換プーリ２５、２５の貫通孔２９、２９内に於ける配置位置は図１に示すように滑車２５ａの最下端位置が主桁フランジ２８の上フランジ２８ａの上面位置と略同一線上に設定される。従って、コンクリート床版２７の底面部を切断する際、該無端ダイヤモンドワイヤーソー２６が該コンクリート床版２７の橋軸方向で水平方向に牽引される。このように構成するので回転駆動源２３ｂから最小限のエネルギー、つまり少ない切断力で切断予定するコンクリート床版２７を適正に切断することが可能となる。
【００２３】
次に、本発明に係る橋梁床版切断方法により当該コンクリート床版を切断する手順や該橋梁床版切断方法に使用する装置の動作等について図６（ａ）、（ｂ）ないし図９等に基づき説明する。
【００２４】
コンクリート床版２７は概ね図６（ａ）に示す構成例であり、幅員方向に順次所定間隔毎に設置した主桁フランジ２８…の上面に鉄筋又はスタッドジベル等で固設されている。そして、各主桁フランジ２８間の略中央付近にコンクリート床版２７の橋軸方向に幅が約２０（ｍｍ）程度の貫通溝Ｂ１ないしＢ４が該コンクリート床版２７の上面から下面まで貫通して切込んであり、そして、貫通溝Ｂ１ないしＢ４の相互間隔は各々のコンクリート床版２７のスパンにより適宜に設定する。一方、前述したようにこの貫通溝Ｂ１ないしＢ４に直交するコンクリート床版２７の幅員方向には例えば橋軸方向に約２０００（ｍｍ）程度の所定間隔Ｓ１毎に貫通溝Ａ１、Ａ２・・・・を一連に列設形成している。
【００２５】
次に、例えば図６（ｂ）に示す貫通溝Ｂ２と貫通溝Ｂ３間及び橋軸方向の貫通溝Ａ１と橋軸方向の貫通溝Ａ２間に囲まれ画成されたコンクリート床版２７の領域Ｆ１を切断しかつ撤去する場合について説明すれば、先ず貫通溝Ａ１の前方に位置する切断溝２７ａの中に無端ダイヤモンドワイヤーソー２６を係入する。図９に示すように該無端ダイヤモンドワイヤーソー２６はコンクリート床版２７の底面部に於ける幅長Ｗ１が約４００（ｍｍ）程度であって、この切断溝２７ａから前記一方、他方の下端変換プーリ２５、２５が挿置された貫通孔２９、２９までの距離、すなわち約２０００（ｍｍ）程度でなるコンクリート床版２７の切断面Ｅを切断する。
【００２６】
そして、このとき、切断溝２７ａから引出された無端ダイヤモンドワイヤーソー２６の方位は一方、他方の下端変換プーリ２５、２５の水平ラインＧに対して約９０°に設定される。ここで、一方の下端変換プーリ２５に懸架された無端ダイヤモンドワイヤーソー２６は図７に示す模式図で分るように駆動プーリ２３ａ、第１変換プーリ２４ａ、第２変換プーリ２３Ｂ、第３変換プーリ２４ｂ、第４変換プーリ２４ｃを経て他方の下端変換プーリ２５に懸架される。そして該コンクリート床版２７の底面部を切断する過程に於いて、該駆動プーリ２３ａが駆動機械２３Ａにより回転動作をすると共に該駆動プーリ２３ａ及び第２変換プーリ２３Ｂが圧縮空気によりエアシリンダ２３ｄの働きで支持枠２３Ｃにより徐々に上昇する。すなわち、図８（ｂ）から（ａ）に示すように該駆動プーリ２３ａが上昇する。
【００２７】
そして、当該無端ダイヤモンドワイヤーソー２６、２６はコンクリート床版２７の底面部すなわちハンチ部２７ｂの切込みが進むに従い、切断溝２７ａに係入されかつ一方、他方の下端変換プーリ２５、２５に懸架された該無端ダイヤモンドワイヤーソー２６、２６の部分は図９に示すように駆動プーリ２３ａに引上げられる分だけ徐々に短くなりコンクリート床版の切断完了時点には水平状態から相対する滑車の相対角θ１が約４０°〜４５°程度になる。このとき一方、他方の下端変換プーリ２５、２５の略円柱体でなる回転軸部２５ｈが回動して滑車２５ａ、２５ａの方向が図９に示すように水平方向すなわち傾斜角θ２が０°から傾斜角θ２が約３０°〜４０°程度に傾斜する。相対する滑車２５ａ、２５ａがコンクリート床版２７の底面部を切断するに従い、自由自在にその傾斜面θ２を変化させながら巧みに該コンクリート床版２７の底面部すなわちハンチ部２７ｂの全域を切断可能にする。
【００２８】
尚、コンクリート床版２７を切断中に於いて、コンクリート床版２７の切断に伴う粉塵を吸引すべく、該コンクリート床版２７の底面部すなわち切断部位、ハンチ部２７ｂ又は貫通孔２９、２９内に集塵口３１を配置する。この集塵口３１はホース等で別置された集塵機に接続され粉塵を適切に処理する。
【００２９】
かくして、図９の斜線で示すコンクリート床版２７の切断面Ｅの切断が完了する。そこで切断されたコンクリート床版２７の領域Ｆ１を引上機により撤去する。前述と同様な手順や動作をすることによりコンクリート床版２７の底面部すなわちハンチ部２７ｂを切断し次の領域Ｆ２を撤去し、この繰返しにより該コンクリート床版２７の全領域を撤去する。
【図面の簡単な説明】
【００３０】
【図１】本発明に係る橋梁床版切断方法に使用するものであって、コンクリート床版上に取付けられた橋梁床版切断装置を示す正面図である。
【図２】図１の矢視Ａ−Ａ線方向から見た側面図である。
【図３】本発明に係る橋梁床版切断方法に於いて、橋梁床版切断装置に備えた変換プーリの一例を示す図面であって、（ａ）は正面図、（ｂ）は（ａ）の矢視Ｂ−Ｂ線方向から見た側面図である。
【図４】本発明に係る橋梁床版切断方法に於いて、コンクリート床版の底面部すなわちハンチ部の切断部位を示す側面図である。
【図５】本発明に係る橋梁床版切断方法による実施の形態を示すコンクリート床版の斜視図である。
【図６】本発明に係る橋梁床版切断方法による実施の形態を示すものであって、（ａ）はコンクリート床版に貫通溝を設けた側面図、（ｂ）は（ａ）の平面図であってコンクリート床版の切断または撤去領域を示すと共に幅員方向及び橋軸方向にそれぞれ貫通溝を設けてコンクリート床版を画成した状態を示す図である。
【図７】本発明に係る橋梁床版切断方法に使用する橋梁床版切断装置の模式図である。
【図８】本発明に係る橋梁床版切断方法を示す図であって、（ａ）は切断完了時点の駆動プーリ等の状態を示す模式側面図、（ｂ）は切断開始時の駆動プーリ等の状態を示す模式側面図である。
【図９】本発明に係る橋梁床版切断方法に於いて、コンクリート床版の切断領域と相対する滑車の動きを示す平面図である。
【図１０】従来の技術に於けるコンクリート等の切断方法の一つの例を示す斜視図である。
【図１１】従来の技術に於けるワイヤーソー切断方法の他の例を示す斜視図である。
【符号の説明】
【００３１】
Ｃ          本発明に係る橋梁床版切断装置
２３        駆動部材
２３Ａ      駆動部材の駆動機械
２３Ｂ      駆動部材の第２変換プーリ
２３Ｃ      駆動部材の支持枠
２３Ｄ      駆動部材のガイド枠
２３Ｅ      駆動部材のガイドレール
２３ａ      駆動部材の駆動プーリ
２３ｂ      駆動部材の回転駆動源
２３ｃ      駆動部材の圧縮空気取入部
２３ｄ      駆動部材のエアシリンダ
２３ｅ      駆動部材のスライド溝
２３ｆ      駆動部材の冷却気体源
２３ｇ      駆動部材の流送管
２３ｈ      駆動部材の冷却気体吹付け口
２４        変換部材
２４ａ      変換部材の第１変換プーリ
２４ｂ      変換部材の第３変換プーリ
２４ｃ      変換部材の第４変換プーリ
２４ｄ      変換部材の水平棒
２５        一方、他方の下端変換プーリ
２５ａ      一方、他方の下端変換プーリの滑車
２５ｂ      一方、他方の下端変換プーリの軸
２５ｃ      一方、他方の下端変換プーリのブラケット
２５ｄ      一方、他方の下端変換プーリのスペーサ
２５ｅ      一方、他方の下端変換プーリのボルト（一方端）
２５ｆ      一方、他方の下端変換プーリのボルト（他方端）
２５ｇ      滑車の周溝
２５ｈ      回転軸部
２６        無端ダイヤモンドワイヤソー
２７        コンクリート床版
２７ａ      コンクリート床版の切断溝
２７ｂ      コンクリート床版のハンチ部
２８        主桁フランジ
２８ａ      主桁フランジの上フランジ
２９        コンクリート床版の貫通孔
３０        支持棒
３１        集塵口
Ａ１〜Ａ５  コンクリート床版の貫通溝
Ｂ１〜Ｂ４  コンクリート床版の貫通溝
【図１】
2009114688.tif 000003
【図２】
2009114688.tif 000004
【図３】
2009114688.tif 000005
【図４】
2009114688.tif 000006
【図５】
2009114688.tif 000007
【図６】
2009114688.tif 000008
【図７】
2009114688.tif 000009
【図８】
2009114688.tif 000010
【図９】
2009114688.tif 000011
【図１０】
2009114688.tif 000012
【図１１】
2009114688.tif 000013